(57)【要約】【課題】記録された測定信号を、特定のオペレータに明確に割り当てること。【解決手段】患者の生理的パラメータを測定するためのシステムが、開示されている。測定手段（１２）は、患者の生理的パラメータのための信号標本を測定し、かつオペレータ識別手段（１０）は、測定を実行している、または測定の実行を補助しているオペレータを識別するためのオペレータ識別信号を提供する。測定された信号は、測定された信号を識別するためにオペレータ識別信号に関連付けられ、かつ、こうして、オペレータが識別されている測定信号（１４）が提供される。【選択図】図１
2004520140.tif 000002
【特許請求の範囲】
【請求項１】
患者の生理的なパラメータを測定するための方法であって、
（ａ） 前記患者の前記生理的パラメータの信号標本を測定するステップと、
（ｂ） 測定を実行している、または前記測定の実行を補助しているオペレータを識別するためのオペレータ識別信号を提供するステップと、
（ｃ） 前記測定された信号を前記オペレータに対して識別するために、前記測定された信号を前記オペレータ識別信号に結合および／または関連付けるステップと、
を有する方法。
【請求項２】
（ｄ） 前記患者を識別するための患者識別信号を提供するステップと、
（ｅ） 前記測定された信号を前記患者に対して識別するために、前記測定された信号を前記患者識別信号に、結合および／または関連付けるステップと、
を有する、請求項１に記載の方法。
【請求項３】
ステップ（ｂ）および／またはステップ（ｄ）が、好ましくは前記測定処理の間、または前記測定処理の前または後に、ステップ（ａ）に近い時間関係で実行される、請求項１または２に記載の方法。
【請求項４】
ステップ（ｂ）および／またはステップ（ｄ）が、後続の測定処理の前に実行される、上記請求項の何れかに記載の方法。
【請求項５】
ステップ（ｃ）および／またはステップ（ｅ）が、
（ｃ１） 前記オペレータ識別信号が有効か否かを検証するステップと、
前記オペレータ識別信号が有効な場合に、
（ｃ２） 前記測定された信号を前記オペレータ識別信号に、結合および／または関連付け、そうでない場合には、前記測定を無効にするステップと、
および／または、
（ｅ１） 前記患者識別信号が有効か否かを検証するステップと、
前記患者識別信号が有効な場合に、
（ｅ２） 前記測定された信号を、前記患者識別信号に結合および／または関連付け、そうでない場合には、前記測定を無効にするステップと、
を有する、上記請求項の何れかに記載の方法。
【請求項６】
ステップ（ｂ）および／またはステップ（ｄ）が、
（ｂ１） 好ましくは、前記オペレータ識別信号、または前記オペレータ識別信号を導出することができるオペレータ識別子を入力することによって、前記オペレータまたは第三者のアクティブな対話によって、前記オペレータ識別信号を提供するステップと、
および／または、
（ｄ１） 好ましくは、前記患者識別信号、または前記患者識別信号を導出することができる患者識別子を入力することによって、前記患者または第三者のアクティブな対話によって、前記患者識別信号を提供するステップと、
を有する、上記請求項の何れかに記載の方法。
【請求項７】
ステップ（ｂ）および／または（ｄ）が、
（ｂ２） 好ましくは、前記オペレータが携帯するオペレータ識別デバイスから、好ましくは、前記オペレータ識別信号、または前記オペレータ識別信号を導出することができるオペレータ識別子を自動的に読み出すことによって、前記オペレータまたは第三者のアクティブな対話を必要とせずに、前記オペレータ識別信号を自動的に提供するステップと、
および／または、
（ｄ２） 好ましくは、前記患者が携帯する患者識別デバイスから、好ましくは、前記患者識別信号、または前記患者識別信号を導出することができる患者識別子を自動的に読み出すことによって、前記患者または第三者のアクティブな対話を必要とせずに、前記患者識別信号を自動的に提供するステップと、
を有する、上記請求項の何れかに記載の方法。
【請求項８】
前記オペレータ識別信号および／または前記患者識別信号、または前記オペレータ識別信号および／または前記患者識別信号を導出することができる、オペレータ識別子および／または患者識別子を読取るための通信を確立することによって、ステップ（ｂ２）および／または（ｄ２）を実行する、請求項７に記載の方法。
【請求項９】
識別されている測定信号を提供するためのデバイスであって、
測定デバイスから、患者の生理的パラメータのための測定信号の標本を受信するように適合化された手段と、
オペレータ識別デバイスから、測定を実行している、または前記測定の実行を補助しているオペレータを識別するためのオペレータ識別信号を受信するように適合化された手段と、
オペレータが識別されている測定信号を提供するために、前記測定された信号を前記オペレータ識別信号に結合および／または関連付けるための手段と、
を有するデバイス。
【請求項１０】
患者識別デバイスから、前記患者を識別するための患者識別信号を受信するように適合化されている手段と、
患者とオペレータが識別され結合されている測定信号を提供するために、前記測定された信号を前記患者識別信号に結合および／または関連付けるための手段と、
を有する、請求項９に記載のシステム。
【請求項１１】
前記オペレータ識別信号および／または前記患者識別信号が、有効か否かを検証するための手段を有する、請求項９または１０に記載のシステム。
【請求項１２】
患者の生理的パラメータを測定するためのシステムであって、
前記患者の前記生理的パラメータのための信号標本を測定するための測定手段と、
前記測定を実行している、または測定の実行を補助しているオペレータを識別するためのオペレータ識別信号を提供するための、オペレータ識別手段と、
前記測定された信号を前記オペレータに対して識別するために、前記測定された信号を前記オペレータ識別信号に結合および／または関連付けるための、請求項９または１１に記載の前記デバイスと、
を有するシステム。
【請求項１３】
前記患者を識別するための患者識別信号を提供するための患者識別手段と、
前記測定された信号を前記患者に対して識別するために、前記測定された信号を前記患者識別信号に結合および／または関連付けるための、請求項１０または１１の前記デバイスと、
を有する、請求項１２に記載のシステム。
【請求項１４】
前記オペレータ識別手段および／または前記患者識別手段が、
好ましくは、前記オペレータ識別信号および／または前記患者識別信号、または前記オペレータ識別信号および／または前記患者識別信号を導出することができる、オペレータ識別子および／または患者識別子を入力することによって、前記オペレータまたは第三者の、および／または、前記患者または第三者のアクティブな対話によって、前記オペレータ識別信号および／または前記患者識別信号を提供するための手段、
を有する、請求項１２または１３に記載のシステム
【請求項１５】
前記オペレータ識別手段および／または前記患者識別手段が、
好ましくは、前記オペレータおよび／または前記患者が携帯する、オペレータ識別デバイスおよび／または患者識別デバイスから、好ましくは、前記オペレータ識別信号および／または前記患者識別信号、または前記オペレータ識別信号および／または前記患者識別信号を導出することができるオペレータ識別子および／または患者識別子を、自動的に読み出すことによって、前記オペレータまたは第三者のおよび／または前記患者または第三者のアクティブな対話を必要とせずに、前記オペレータ識別信号および／または前記患者識別信号を自動的に提供するための手段、
を有する、請求項１２または１３に記載のシステム。
【請求項１６】
前記オペレータ識別手段および／または前記患者識別手段が、
前記オペレータ識別信号および／または前記患者識別信号、または、前記オペレータ識別信号および／または前記患者識別信号を導出することができるオペレータ識別子および／または患者識別子を読み出すための前記デバイスとの通信を確立するための手段、
を有する請求項１５に記載のシステム。
【請求項１７】
前記オペレータ識別手段および／または前記患者識別手段が、
前記オペレータ識別信号および／または前記患者識別信号のユーザーが開始した入力、またはこれに対応する、オペレータ識別子および／または患者識別子、好ましくはキーコードまたはスマートカードを受信するように適合化されている手段と、
および／または、
好ましくは、前記オペレータおよび／または前記患者が着用する、または他の方法で携帯するタグおよび／またはトランスポンダによって、前記オペレータ識別信号および／または前記患者識別信号、またはこれに対応するオペレータ識別子および／または患者識別子を、自動的に検知するための手段と、
および／または、
前記オペレータおよび／または前記患者の生物学的フィーチャーの前記特徴、好ましくは指紋および／または声を評価するための手段と、
を有する、請求項１２〜１６の何れかに記載のシステム。
【請求項１８】
前記デバイスが、
前記オペレータ識別信号および／または前記患者識別信号、またはこれに対応するオペレータ識別子および／または患者識別子を、そこから読み出すための、前記オペレータ識別手段および／または前記患者識別手段との通信を確立するための、オペレータ識別読取器および／または患者識別読取器、
を有する、請求項１２〜１７の何れかに記載のシステム。
【請求項１９】
前記デバイスが、
前記オペレータ識別信号および／または前記患者識別信号、またはこれに対応するオペレータ識別子および／または患者識別子を、前記オペレータ識別手段および／または前記患者識別手段から読取ることができる検出装置、
を有する、請求項１２〜１８の何れかに記載のシステム。
【請求項２０】
前記測定された信号を前記オペレータに対して識別するために、患者の生理的パラメータに対して測定された信号の標本を、前記オペレータ識別信号に結合および／または関連付けるための、オペレータを識別するためのオペレータ識別信号を提供するオペレータ識別手段（好ましくは、スマートカード）の使用。
【請求項２１】
前記オペレータを識別し、患者の生理的パラメータに対して測定された信号の標本を、前記オペレータ識別信号に結合および／または関連付けるためのオペレータ識別信号として、前記測定された信号を前記オペレータに対して識別するための、オペレータの生物学的フィーチャーの前記特徴（好ましくは、指紋および／または声）の使用。
【発明の詳細な説明】
【０００１】
【発明の属する技術分野】
本発明は、患者の生理的パラメータの測定に関する。
【０００２】
【従来の技術】
通常、患者の生理的パラメータの測定は、病院または療養所において行われる。遠隔医療ソリューションを用いて介護サービスを、病院から、例えば、在宅または遠隔地などの、病院の外の環境に移動することも知られている。遠隔医療とは、「距離を置いた医療」と定義され、患者が必要とする時に介護提供者が患者を診断し、かつ治療することが可能になる。技術的には、遠隔医療ソリューションは、患者の家に配置された監視デバイスによって構成させることができる。これらは、生命徴候を測定し、かつ既存のメディア（例えば、電話回線）を介して、記録されたデータを介護提供者に伝送する。
【０００３】
多くの場合、患者は、第三者の補助がなくても、一人でこれらの測定を行うことができる。しかしながら、例えば、集中治療室において、または複雑な測定に対して、オペレータが必要となる場合も多く存在する。この状況の場合、オペレータは、例えば、医師、内科医、助手、看護婦または看護師である。
【０００４】
看護サービスの分野では、実行された測定の信頼性と、この測定をチェックできる可能性とを向上させる必要性が、常に存在する。したがって、オペレータが測定を実行するまたは測定の実行を補助することを詳細に記録する安全管理システムおよび／または品質管理システムを有することは、有用である。この目的に達するためには、記録された測定信号が、特定のオペレータに明確に割り当てられることが重要である。
【０００５】
遠隔医療の分野においては、記録された測定信号を特定の個人に割り当てるために、測定された患者の生命徴候と以前に記録されたデータとを相関させるソリューションが知られている。この概念は、通常、生理的パラメータが、特定の範囲内でしか変化しないことを利用している。生理的に可能である以上の著しい変動を示す記録データは、患者からは生じ得ないため、このような明確な検出と除去が可能となる。しかしながら、この概念は、患者の生理的範囲内にはあっても、その患者によって生成されるものではない誤った生命徴候の測定値を認識することは出来ない。このソリューションは、（以前の）基本データが使用可能であることが必要であり、かつ多数の患者が、意図的に同じデバイスを使用することは出来ない。
【０００６】
１９９９年１２月２３日のＰＣＴ／ＥＰ９９／１０３４６から、患者の生理的パラメータを測定するための方法が知られている。この方法は、患者の生理パラメータに対する信号標本を測定するステップと、この患者を識別する患者認識信号を提供するステップと、測定された信号を識別するために、この測定された信号を患者認識信号に結合および／または関連付けるステップと、を有する。この患者認識信号により、明確な患者識別子が提供され、測定を実行している患者の遠隔からの識別が可能となる。
【０００７】
【課題を解決するための手段】
本発明の目的は、記録された測定信号を、特定のオペレータに明確に割り当てることである。この目的は、独立請求項によって解決される。好ましい実施例は、従属請求項に示されている。
【０００８】
本発明によると、患者の測定信号は、測定を実行する、または測定の実行を補助する特定の者を明確に識別するためのオペレータ識別信号と共に提供される。このオペレータ識別信号により、明確なオペレータ識別子が提供され、測定を実行する、または測定の実行を補助するオペレータを、遠隔から識別することが可能となる。
【０００９】
本発明の好ましい実施例によると、特定の患者の、オペレータが識別されている測定信号は、さらに、この測定が関連する特定の患者を明確に識別するための患者識別信号と共に提供される。
【００１０】
オペレータ識別信号および／または患者識別信号は、好ましくは、例えば、
・特定のオペレータ識別子および／または患者識別子に関して、ユーザーが開始させた入力（例えば、キーコード、スマートカード）と、
・オペレータおよび／または患者により着用される、例えば、タグの自動検知と、
・オペレータおよび／または患者の、特有な生物学的フィーチャー（例えば、指紋、声）の評価と、
によって提供することができる。
【００１１】
オペレータ識別信号および／または患者識別信号を、測定信号と結合／関連付ける（またはリンクさせる）ために、測定装置は、オペレータ識別読取器 （ＯＩＲ （ｏｐｅｒａｔｏｒ ｉｄｅｎｔｉｆｉｃａｔｉｏｎ ｒｅａｄｅｒ））、および／または、患者識別読取器 （ＰＩＲ （ｐａｔｉｅｎｔ ｉｄｅｎｔｉｆｉｃａｔｉｏｎ ｒｅａｄｅｒ））を有する。しかしながら、実際の生理的信号の測定処理に対する緊密な時間関係、例えば、測定処理の間、または測定処理の（直ぐ）前または後においては、オペレータおよび／または患者は、少なくとも後続の測定処理の前に、識別されるであろうし、かつＯＩＲおよび／またはＰＩＲは、オペレータの識別および／または患者の識別を測定装置に提供することができる。この場合にも、この測定装置は、オペレータ識別信号および／または患者識別信号を、測定信号に関連付けることができる。オペレータ識別信号および／または患者識別信号を導出することができる任意の種類のオペレータおよび／または患者識別子、または識別信号を、ＯＩＲおよび／またはＰＩＲに送ることによって、オペレータおよび／または患者の識別が、可能になる。
【００１２】
ＯＩＲおよび／またはＰＩＲは、現在の測定を実行している者が有効な識別（身分証明）を有しているか否かを、検証することができる。ＯＩＲおよび／またはＰＩＲが、有効な識別子を認識した場合にのみ、それが、オペレータおよび／または患者識別信号を患者の測定されたパラメータに（電子的に）添付することが好ましい。このようにして、測定された各患者信号を、特定のオペレータおよび／または患者に明確に割り当てることが可能になる。これに代えて、測定を実行している者が有効な識別子を有していない場合は、この測定を無効にしても良い。
【００１３】
本発明の第一態様では、オペレータ識別信号および／または患者識別信号は、オペレータおよび／または患者のアクティブな（好ましくはユーザーが開始した）対話によって、測定信号に関連付けられる。好ましい実施例では、オペレータおよび／または患者は、例えば、測定を行う前または後の何れかに、キーコードまたはスマートカードのような、オペレータ識別信号および／または患者識別信号を導出することができるオペレータ識別子および／または患者識別子、またはオペレータ識別信号および／または患者識別信号を、入力する必要がある。このためには、各測定デバイスに、ある形態のキーコードまたはスマートカード読取器のインターフェースを設けなければならない。さらに、このためには、オペレータおよび／または患者が、正確なキーコードと、これらすべての作業（生理的な測定およびキーコードの入力）を実行しなければならない順序とを記憶していなければならない、相当量の対話が必要となる。潜在的に、オペレータおよび／または患者を識別するこの手法は、精神的障害を持つ人々のような特定のユーザー集団には適用できない。
【００１４】
本発明の第二態様では、オペレータ識別信号および／または患者識別信号は、測定信号に自動的に関連付けられるであろう。測定装置は、オペレータ識別読取器および／または患者識別読取器であるＯＩＲおよび／またはＰＩＲを有し、かつオペレータおよび／または患者は、これに対応するオペレータ識別デバイスおよび／または患者識別デバイス（ＯＩＤおよび／またはＰＩＤ）を携帯するか、またはこれを（例えば、ブレスレットにして、またはクリップで止めて）着用する。ＯＩＲおよび／またはＰＩＲ、並びにＯＩＤおよび／またはＰＩＤは、少なくとも、実際の生理的信号の測定処理に対する緊密な時間関係において、それらの間に通信が確立されるように適合化されている。
【００１５】
通信の間、ＯＩＤおよび／またはＰＩＤは、オペレータおよび／または患者を識別し、かつＯＩＲおよび／またはＰＩＲは、オペレータ識別および／または患者識別を測定装置に提供する。この測定装置は、この場合にも、オペレータ識別信号および／または患者識別信号を、測定信号に関連付けることができる。ＯＩＤおよび／またはＰＩＤは、オペレータ識別信号および／または患者識別信号、またはオペレータ識別信号および／または患者識別信号を導出することができる任意の種類のオペレータ識別子および／または患者識別子を、ＯＩＲおよび／またはＰＩＲに送ることによって、オペレータおよび／または患者を識別することができる。好ましい実施例では、ＯＩＲおよび／またはＰＩＲは、生理的測定に対し時刻順に電気信号を送出し、またはＯＩＤおよび／またはＰＩＤ（例えば、バーコード、指紋など）をスキャンする。
【００１６】
オペレータ識別デバイスおよび／または患者識別デバイスであるＯＩＤおよび／またはＰＩＤと、オペレータ識別読取器および／または患者識別読取器であるＯＩＲおよび／またはＰＩＲとの間の通信は、有線または無線伝送（例えば、超音波、赤外線、磁性、ラジオ周波数、光学、または他の電磁伝送タイプ）のような、従来技術において公知である任意の手段によって、行うことができる。
【００１７】
したがって、ＯＩＲおよび／またはＰＩＲは、現在の測定を実行している者が有効な識別（身分証明）を有しているか否かを、検証することができる。ＯＩＲおよび／またはＰＩＲは、適格なＯＩＤおよび／またはＰＩＤを認識すると、それは、そのオペレータ識別子および／または患者識別子（例えば、固有の識別番号）を登録し、かつオペレータ識別信号および／または患者識別信号（例えば、この明確な識別番号）を、患者の測定されたパラメータに電子的に添付する。
【００１８】
好ましい実施例では、ＯＩＲおよび／またはＰＩＲは、ＯＩＤおよび／またはＰＩＤからオペレータ識別子および／または患者識別子を読取り、かつ生理的測定装置によって記録されたデータと、固有のオペレータ識別および／または患者識別とを結合させて、１人の特定のオペレータおよび／または患者に明確に割り当てられる情報パッケージを形成することができる検出デバイスを有する。
【００１９】
この検知デバイスは、光学ソリューション（例えば、バーコード読取器、赤外線）、無線工学的方法（例えば、ＲＦトランスポンダ、磁気結合）から、例えば、オペレータおよび／または患者の指紋、声の特徴等の固有の生物学的な目印を分析することができるバイオ検出デバイスに至る、様々な技術を利用して実行することができる。後者の場合、オペレータおよび／または患者の個人的な特徴（例えば、指紋、声など）が、生理的測定値を特定の個人に相関させるＯＩＤおよび／またはＰＩＤとして使用される。
【００２０】
ＯＩＲおよび／またはＰＩＲは、測定装置と一体にすることも出来るが、それに単に接続させるのみでも良い。ＯＩＲおよび／またはＰＩＲは、測定を実行している、または測定の実行を補助している個人が、ＯＩＤおよび／またはＰＩＤの有効なオペレータ識別子および／または患者識別子を有している場合に、検証を行い、かつ、認識が肯定的な場合は、この記録された識別を測定された信号にリンクすることが好ましい。
【００２１】
自動オペレータ識別システム（ＡＯＩＳ （Ａｕｔｏｍａｔｉｃ Ｏｐｅｒａｔｏｒ Ｉｄｅｎｔｉｆｉｃａｔｉｏｎ Ｓｙｓｔｅｍ））、および／または、自動患者識別システム（ＡＰＩＳ （Ａｕｔｏｍａｔｉｃ Ｐａｔｉｅｎｔ Ｉｄｅｎｔｉｆｉｃａｔｉｏｎ Ｓｙｓｔｅｍ））の好ましい実施例では、ＯＩＤおよび／またはＰＩＤは、改竄される恐れがないオペレータ識別番号および／または患者識別番号を保持する小型のトランスポンダを有する。トランスポンダは、様々な寸法にパッケージすることができる。このトランスポンダは、非常に薄く、かつ電池を使用しないために、オペレータおよび／または患者が、例えば、ブレスレットとして、またはクリップにより着用できることが好ましい。オペレータおよび／または患者が測定を行うと、測定デバイスのＯＩＲおよび／またはＰＩＲは、例えば、ラジオ周波数（ＲＦ （ｒａｄｉｏ ｆｒｅｑｕｅｎｃｙ））読取器によって、ユーザーのトランスポンダに自動的に問い合わせる。これは、トランスポンダが測定デバイスと機械的に直接接触している必要がないことを意味する。しかしながら、読取器がトランスポンダとリンクアップするためには、オペレータおよび／または患者は、ＯＩＲおよび／またはＰＩＲの近くにいる必要がある。測定ユニットは、有効なトランスポンダを検出すると、オペレータ識別信号および／または患者識別信号（例えば、オペレータ識別番号および／または患者識別番号）を、測定された生命徴候と共に看護提供者へ送信する。トランスポンダと読取器との間でＲＦリンクを使用する代わりに、例えば、磁気結合を使用しても、この概念を実施することは可能である。
【００２２】
このソリューションは、トランスポンダを着用すること、および測定を開始すること以外に、オペレータおよび／または患者の介在を必要としない。適格なユーザーの問い合わせ、および記録された識別の送信、並びに患者の測定された生理的パラメータは、測定ユニットが行う全自動の処理である。本発明が、任意の種類のデータキャリヤに蓄積させることが可能であり、または他の任意の種類のデータキャリヤにより得ることが可能であり、かつ、任意の適切なデータ処理ユニット内で、または任意の適切なデータ処理ユニットによって実行可能な、一つ以上の適切なソフトウェアプログラムによって、部分的または完全に実施できることは明らかである。
【００２３】
この概念によって、生理的測定を１人のオペレータおよび／または１人の患者に、明確に割り当てることが可能となる。この概念によって、有効な識別子を有する、または識別子を有さない個人が行う測定をフィルタリングすることも可能となる。さらに、各々の記録された生理的信号に電子的にタグを付け、このタグを１人の特定のオペレータおよび／または患者にリンクすることによって、多数の人々（オペレータおよび／または患者）が、同じ測定デバイスのセットを使用することも可能となる。
【００２４】
本発明の他の目的、および付随的な利点の多くは、添付の図面を考慮しながら、以下の詳細な説明を参照することによって、容易に認識され、かつより良く理解されるであろう。実質的にまたは機能的に同等または類似のフィーチャーには、同じ参照記号が付されるであろう。
【００２５】
【発明を実施するための形態】
図１は、自動オペレータ／患者識別システム（ＡＯＰＩＳ （Ａｕｔｏｍａｔｉｃ Ｏｐｅｒａｔｏｒ ａｎｄ Ｐａｔｉｅｎｔ Ｉｄｅｎｔｉｆｉｃａｔｉｏｎ Ｓｙｓｔｅｍ））を、発明の実施例の一例として表している。このＡＯＰＩＳは、各々破線の囲いで表されている、自動オペレータ識別システム（ＡＯＩＳ （Ａｕｔｏｍａｔｉｃ Ｏｐｅｒａｔｏｒ Ｉｄｅｎｔｉｆｉｃａｔｉｏｎ Ｓｙｓｔｅｍ））と、自動患者識別システム（ＡＰＩＳ （Ａｕｔｏｍａｔｉｃ Ｐａｔｉｅｎｔ Ｉｄｅｎｔｉｆｉｃａｔｉｏｎ Ｓｙｓｔｅｍ））とを有する。ＡＯＩＳでは、生理的測定ユニット１２が提供する患者の測定結果を識別するために、オペレータ識別デバイス（ＯＩＤ （Ｏｐｅｒａｔｏｒ Ｉｄｅｎｔｉｆｉｃａｔｉｏｎ Ｄｅｖｉｃｅ））１０が、オペレータ識別読取器（ＯＩＲ （Ｏｐｅｒａｔｏｒ Ｉｄｅｎｔｉｆｉｃａｔｉｏｎ Ｒｅａｄｅｒ））１１に結合されている。測定を実行している、または測定の実行を補助している特定のオペレータを明確に識別するために、ＯＩＤ １０は、このオペレータのための明確なオペレータ識別子を、ＯＩＲ １１に提供する。ＯＩＲ １１は、この場合も、ＯＩＤ １０からのオペレータ識別子をチェックし、かつオペレータ識別信号を、生理的測定ユニット１２からの患者の測定結果をさらに受信する信号パケジングユニット１３に送る。
【００２６】
ＡＰＩＳでは、さらに、生理的測定ユニット１２が提供する患者の測定結果をさらに識別するために、患者識別デバイス（ＰＩＤ （Ｐａｔｉｅｎｔ Ｉｄｅｎｔｉｆｉｃａｔｉｏｎ Ｄｅｖｉｃｅ））１００が、患者識別読取器（ＰＩＲ （Ｐａｔｉｅｎｔ Ｉｄｅｎｔｉｆｉｃａｔｉｏｎ Ｒｅａｄｅｒ））１１０に結合されている。測定を実行している特定の患者、またはどの患者に対して測定が行われているのかを明確に識別するために、ＰＩＤ １００は、この患者のための明確な患者識別子を、ＰＩＲ １１０に提供する。ＰＩＲ １１０は、この場合も、ＰＩＤ １００からの患者識別子をチェックし、かつ患者識別信号を信号パケジングユニット１３に送ると、信号パケジングユニット１３は、さらに生理的測定ユニット１２から患者の測定結果を、かつＯＩＲからオペレータ識別信号を受信する。
【００２７】
信号パケジングユニット１３は、患者の測定結果を、オペレータ識別信号と患者識別信号に結合させて、測定値とＩＤが結合した出力信号１４を出力する。
【００２８】
図１は、ＯＩＤ １０とＰＩＤ １００の複数の異なるソリューションを示しているが、これらは、別々に、または組合せて適用することができる。ＯＩＤ １０ＡとＰＩＤ １００Ａは、各々、ＰＩＮコードのようなオペレータ識別子または患者識別子を、手動で入力するためのキーパッド入力を示す。ＯＩＤ １０ＢとＰＩＤ １００Ｂは、各々、オペレータ識別子または患者識別子を含んだバーコードなどを読取るためのバーコード・ソリューションを示す。ＯＩＤ １０ＣとＰＩＤ １００Ｃは、トランスポンダの概念を示しており、オペレータ識別子と患者識別子は、各々、オペレータおよび／または患者が、着用または他の方法によって保持するトランスポンダと、（ＯＩＲ １１および／またはＰＩＲ １１０の一部としても良い）受信ユニットとの間のＲＦリンクを介して登録される。ＯＩＤ １０ＤとＯＩＤ １０Ｅ、およびＰＩＤ １００ＤとＰＩＤ １００Ｅは、オペレータおよび／または患者の、指紋（１０Ｄとｌ００Ｄ）または声（１０Ｅと１００Ｅ）のような、肉体的な属性による識別に基づいた識別システムを示す。
【００２９】
ＯＩＲ １１は、好ましくは、ＯＩＤ １０からのオペレータ識別子を読取るための読取ユニット１６、およびオペレータ識別子を確認するためのオペレータ識別子評価ユニット１７を有する。同様に、ＰＩＲ １１０は、好ましくは、ＰＩＤ １００からの患者識別子を読取るための読取ユニット１６０、および患者識別子を確認するための患者識別子評価ユニット１７０を有する。好ましい実施例では、ＯＩＲとＰＩＲは、共通の筐体内に配置される。
【００３０】
図２は、図１に示されている自動オペレータ／患者識別システム （ＡＯＰＩＳ） のより概念的な図を、ＯＩＤ １０ＣとＰＩＤ １００Ｃを例にして表したものである。ＯＩＤ １０Ｃは、例えば、オペレータの腕に着用されるトランスポンダ２０を有する。同様に、ＰＩＤ １００Ｃは、例えば、患者の腕に着用されるトランスポンダ２００を有する。ＯＩＤ １０ＣとＰＩＤ １００Ｃは、さらに共通の送信ユニット２１０を有しており、これは、好ましくは、その間におけるラジオ周波数通信を確立するために、ＯＩＲ １１内またはＰＩＲ １１０内に集積化されている。送信ユニット２１０には、ラジオ周波数送受信機とアンテナが設けられている。測定の前または測定の間に、ＯＩＲ １１とＰＩＲ １１０は、測定を実行している者が、適格なトランスポンダ２０および２００を各々着用しているか否かを検証する信号を、（送信ユニット２１０を介して）送出する。送信ユニット２１０によって送信される低エネルギー信号は、トランスポンダ２０と２００を各々起動させる。したがって、トランスポンダ２０と２００は、各々、電力を（例えば、バッテリによって）自給する必要がない。送信ユニット２１０からの駆動信号は、トランスポンダ２０と２００の各々に対して、その格納されているオペレータ識別番号のようなオペレータ識別子、および患者識別番号のような患者識別子を各々返送するよう命令する。
【００３１】
読取ユニット１６は、送信ユニット２１０からのオペレータ識別子を読取る。ＯＩＲ １１が、オペレータ識別子評価ユニット１７を有する場合、オペレータ識別子評価ユニット１７は、オペレータ識別子が適格か否かを確認するであろう。オペレータ識別子が適格な場合、ＯＩＲ １１は、オペレータ識別子から導出されたオペレータ識別信号を、信号パケジングユニット１３に送る。同様に、読取ユニット１６０は、送信ユニット２１０からの患者識別子を読取る。ＰＩＲ １１０が患者識別子評価ユニット１７０を有する場合、患者識別子評価ユニット１７０は、患者識別子が適格か否かを確認するであろう。患者識別子が適格な場合、ＰＩＲ １１０は、患者識別子から導出された患者識別信号を、信号パケジングユニット１３に送る。生理的測定ユニット１２から得られる患者の測定値をさらに受信する信号パケジングユニット１３は、３つの信号をすべて結合させ、かつこの組合せを、好ましくはモデム２３０と通信システム２４０を介して、リモートユーザ２２０（例えば、検証を行う臨床医）に送る。これに代えて、信号パケジングユニット１３は、オペレータ識別信号、患者識別信号、および測定された信号をパッケージし、かつこの情報をリモートユーザ２２０に送信するのみでもよい。
【図面の簡単な説明】
【図１】自動オペレータ／患者識別システム（ＡＯＰＩＳ）を、本発明の実施例の一例として示す。
【図２】自動オペレータ／患者識別システム（ＡＯＰＩＳ）を、本発明の実施例の一例として示す。
【符号の説明】
１０…オペレータ識別デバイス（ＯＩＤ）
１０Ａ…ＯＩＤ
１０Ｂ…ＯＩＤ
１０Ｃ…ＯＩＤ
１０Ｄ…ＯＩＤ
１０Ｅ…ＯＩＤ
１１…オペレータ識別読取器
１２…生理的測定ユニット
１３…信号パケジングユニット
１４…出力信号
１６…読取ユニット
１７…オペレータ識別子評価ユニット
２０…トランスポンダ
１００…患者識別デバイス（ＰＩＤ）
１００Ａ…ＰＩＤ
１００Ｂ…ＰＩＤ
１００Ｃ…ＰＩＤ
１００Ｄ…ＰＩＤ
１００Ｅ…ＰＩＤ
１１０…患者識別読取器
１６０…読取ユニット
１７０…患者識別子評価ユニット
２１０…送信ユニット
２２０…リモートユーザ
２３０…モデム
２４０…通信システム
【図１】
2004520140.tif 000003
【図２】
2004520140.tif 000004
【国際公開パンフレット】
2004520140.tif 000005
2004520140.tif 000006
2004520140.tif 000007
2004520140.tif 000008
2004520140.tif 000009
2004520140.tif 000010
2004520140.tif 000011
2004520140.tif 000012
2004520140.tif 000013
2004520140.tif 000014
2004520140.tif 000015
2004520140.tif 000016
2004520140.tif 000017
2004520140.tif 000018
2004520140.tif 000019
2004520140.tif 000020
【国際調査報告】
2004520140.tif 000021
2004520140.tif 000022
2004520140.tif 000023